(57)【要約】【課題】  マルチビーム方式の光ディスクが簡単に得られるようにする。【解決手段】  複数のレーザ光の同時照射により記録及び再生が可能な記録媒体である光ディスクとして、複数のレーザ光の同時照射で形成される複数のデータトラックを連続して配置した幅広トラックを、完全な同心円ではなく１本のデータトラックのトラック幅だけずれた略同心円状に配置するようにした。また、このような光ディスクを製造する構成又は処理を行う。さらに、このような光ディスクを再生する構成又は処理を行う。【選択図】      図１ 
2005044474.tif 000002
【特許請求の範囲】
【請求項１】
複数のレーザ光の同時照射により記録及び再生が可能な記録媒体である光ディスクであって、
前記複数のレーザ光の同時照射で形成される複数のデータトラックを連続して配置した幅広トラックを、前記データトラックの１本のトラック幅に相当する分だけずれた略同心円状に配置したことを特徴とする
光ディスク。
【請求項２】
請求項１記載の光ディスクにおいて、
前記幅広トラックを構成する複数のデータトラックは１周ごとにトラック列がずれており、同心円状ではない配置としたことを特徴とする
光ディスク。
【請求項３】
請求項１記載の光ディスクにおいて、
前記幅広トラックを構成する複数のデータトラック列は１周ごとに列がずれており、同心円状ではない配置とし、
さらに半径が異なる幅広トラックごとに、その半径近傍での１周あたりの記録密度を変更させたことを特徴とする
光ディスク。
【請求項４】
複数のレーザ光の同時照射により記録及び再生が可能な記録媒体である光ディスクの製造方法であって、
前記複数のレーザ光を同時照射可能な複数のデータトラックを連続して配置した幅広トラックを略同心円状に配置するトラック形成工程を有することを特徴とする
光ディスクの製造方法。
【請求項５】
請求項４記載の光ディスクの製造方法において、
前記トラック形成工程で配置される幅広トラックは、複数のデータトラックが１周ごとにトラック列がずれており、同心円状ではない配置としたことを特徴とする
光ディスクの製造方法。
【請求項６】
請求項４記載の光ディスクの製造方法において、
前記トラック形成工程として、
１つの露光ビームに変調を行う工程と、
露光ビームをディスク面上の半径方向に移動させる工程と、
同心円状ではないデータトラックを露光することで、略同心円状の幅広トラックを露光して信号区間を作成する工程と、
幅広トラック間の無信号区間を作製する工程とを有することを特徴とする
光ディスクの製造方法。
【請求項７】
請求項４記載の光ディスクの製造方法において、
前記トラック形成工程として、
露光ビームをディスク面上の半径方向に移動させて、１周ごとにデータトラックの列をずらして、同心円状でない配置として、略同心円状の幅広トラックを露光して信号区間を作成する工程と、
幅広トラック間の無信号区間を作製する工程とを有することを特徴とする
光ディスクの製造方法。
【請求項８】
複数のレーザ光の同時照射により記録及び再生が可能な記録媒体である光ディスクの製造装置において、
前記複数のレーザ光を同時照射可能な複数のデータトラックを連続して配置した幅広トラックを略同心円状に配置するトラック形成手段を有することを特徴とする
光ディスクの製造装置。
【請求項９】
請求項８記載の光ディスクの製造装置において、
前記トラック形成手段により配置される幅広トラックは、複数のデータトラックが１周ごとにトラック列がずれており、同心円状ではない配置としたことを特徴とする
光ディスクの製造装置。
【請求項１０】
請求項８記載の光ディスクの製造装置において、
前記トラック形成手段として、
１つの露光ビームに変調を行う変換手段と、
前記変換手段で変換された露光ビームをディスク面上の半径方向に移動させて、同心円状ではないデータトラックを露光して、略同心円状の幅広トラックを露光して、信号区間を作成すると共に、幅広トラック間の無信号区間を作製する露光手段とを有することを特徴とする
光ディスクの製造装置。
【請求項１１】
請求項８記載の光ディスクの製造装置において、
前記トラック形成手段として、
露光ビームをディスク面上の半径方向に移動させて、１周ごとにデータトラックの列をずらして、同心円状でない配置として、略同心円状の幅広トラックを露光して信号区間を作成すると共に、幅広トラック間の無信号区間を作製する露光手段を有することを特徴とする
光ディスクの製造装置。
【請求項１２】
複数のレーザ光の照射により再生を行う光ディスク再生方法において、
非同心円状のデータトラックで構成される略同心円の幅広トラックを読み取るために、非同心円状のデータトラックにおける非連続部分のトラック移動を補正するトラック移動補正処理を行うことを特徴とする
光ディスク再生方法。
【請求項１３】
請求項１２記載の光ディスク再生方法において、
非同心円状のデータトラックにおける非連続部分の位置を検出し、上記トラック移動を補正を制御することを特徴とする
光ディスク再生方法。
【請求項１４】
請求項１２記載の光ディスク再生方法において、
半径が異なる幅広トラックごとに、その半径近傍での光ディスクの回転数を可変制御することを特徴とする
光ディスク再生方法。
【請求項１５】
複数のレーザ光の照射により再生を行う光ディスク再生装置において、
非同心円状のデータトラックで構成される略同心円の幅広トラックを読み取るために、非同心円状のデータトラックにおける非連続部分のトラック移動を補正するトラック移動補正手段を有することを特徴とする
光ディスク再生装置。
【請求項１６】
請求項１５記載の光ディスク再生装置において、
非同心円状のデータトラックにおける非連続部分の位置を検出し、上記トラック移動を補正を制御する制御手段を有することを特徴とする
光ディスク再生装置。
【請求項１７】
請求項１５記載の光ディスク再生装置において、
半径が異なる幅広トラックごとに、その半径近傍での光ディスクの回転数を可変制御する制御手段を有することを特徴とする
光ディスク再生装置。
【発明の詳細な説明】
【技術分野】
【０００１】
本発明は、光ディスクと、その光ディスクの製造方法及び装置、並びに光ディスク再生方法及び装置に関し、特にマルチビームによる記録や再生を行う光ディスクを扱うものに関する。
【背景技術】
【０００２】
現在普及している光ディスクは、ＣＤ，ＤＶＤなどいずれの方式であっても、１つの光ビームで記録再生を行う方式（単一ビーム方式）が主である。このため、ピットの並び方、すなわち、トラック構造は、渦巻状（スパイラル状）または同心円状のいずれかで配置されている。また、それらのトラック構造におけるディスクの回転制御方式には、ＣＬＶ方式（線速度一定制御方式）、ＣＡＶ方式（角速度一定制御方式）、ゾーンＣＡＶ方式（複数ゾーンに分割してゾーン内で角速度一定制御を行う方式）などがある。
【０００３】
一方、現在普及している単一ビーム方式に対して、複数の光ビームで記録再生を行う方式であるマルチビーム方式の技術開発が進められている。例えば、特許文献１には、マルチビームにより光ディスクをアクセスする場合の制御機構などの技術が開示されている。
【０００４】
また、他のマルチビーム方式の技術開発では、例えば、非特許文献１には、光ディスクの信号面における情報の配列方法（いわゆるフォーマット）や信号面から読み出した信号の処理方法など、マルチビームにより光ディスクを記録および再生するための信号処理や制御機構などの技術が開示されている。
【特許文献１】特開２００３−７７１５６１号公報
【非特許文献１】Ｗｉｍ  Ｍ．Ｊ．  Ｃｏｅｎｅ  “Ｔｗｏ−Ｄｉｍｅｎｓｉｏｎａｌ  Ｏｐｔｉｃａｌ  Ｓｔｏｒａｇｅ”  Ｏｐｔｉｃａｌ  Ｄａｔａ  Ｓｔｏｒａｇｅ  ２００３  （Ｓｅｓｓｉｏｎ  ＴｕＢ１，  ２００３／０５／１３，  Ｈｙａｔｔ  Ｒｅｇｅｎｃｙ，  Ｖａｎｃｏｕｖｅｒ，  ＢＣ  Ｃａｎａｄａ），  ｐａｇｅ  ９０−９２
【発明の開示】
【発明が解決しようとする課題】
【０００５】
ところで、マルチビーム方式の光ディスクでの信号面での信号ピットの配置を、単一ビーム方式の光ディスクと比較しながら説明する。単一ビーム方式の光ディスクの中でも、普及しているＣＤやＤＶＤなどの光ディスクでは、ＣＬＶ方式を用いており、トラック構造も渦巻状（スパイラル状）となっている。このトラック構造は、光ディスク原盤の製造装置において、光ディスクの回転軸を回転させながら、同時に露光ヘッドを並進させることで作製できるので、原盤露光中の待ち時間が少なく、生産性の高いことで知られている。
【０００６】
図１０は、従来のスパイラル状のトラック構造を有する光ディスクの例を示した図である。この図１０に示すように、光ディスク１に、単一ビームで記録や再生を行う１本のトラック１ａが、スパイラル状に形成される。
【０００７】
一方、マルチビーム方式の光ディスクで、これと同様のトラック構造を製作しようすると、複数のデータトラックが幅広トラックを構成し、それらデータトラックが並んだ状態で渦巻状にする必要がある。したがって、光ディスク原盤の製造装置も、複数の露光ビームを並べる方法などにより複数のデータトラックを並列な渦巻状として記録しなければならず、単一の露光ビームを用いるような従来の単一ビーム方式のための光ディスク原盤製造装置をそのまま使用することはできない。
【０００８】
図１１は、マルチビーム方式のトラック構造を有する光ディスクの例を示した図である。この図１１に示すように、光ディスク２に、複数本のデータトラックが束ねられたマルチトラック２ａが、スパイラル状に形成される。
【０００９】
他方、単一ビーム方式の光ディスクの中でも光磁気ディスクなどのように、ＣＡＶ方式を用い、トラック構造が同心円状になっているものもある。このトラック構造は光ディスクの再生装置において、ランダムアクセス性に優れているのでコンピュータの周辺機器としての記録媒体に良く用いられている。しかし、光ディスク原盤の製造装置においては、光ディスクの回転軸を回転させる一方、露光ヘッドをトラック間隔ごとにステップ状に移動させる必要があるので、露光ヘッド移動時に位置を安定させるなどの待ち時間が発生することがある。
【００１０】
マルチビーム方式の光ディスクで、これと同様のトラック構造を考えると、幅広トラックが同心円状で、かつ、それを構成する複数のデータトラックも同心円状になっていることが一番理解しやすい構造である。この場合の光ディスク原盤の製造装置は、上述した単一ビーム方式でＣＡＶ方式を用い、トラック構造が同心円状になっている場合と、ほとんど変わらない装置で実現することができる。しかし、上述した単一ビーム方式の光ディスク原盤の製造装置の長所と短所もそのまま変わらず、単一ビーム方式でのＣＬＶ方式および渦巻状トラック構造にあるような生産性の高さは得られない。
【００１１】
図１２は、マルチビーム方式のトラック構造を、同心円状に形成した光ディスクの例を示した図である。この図１２Ａに示すように、光ディスク３に、複数本のデータトラックが束ねられたマルチトラック２ａが、同心円状にほぼ一定間隔で配置してある。図１２Ｂ及び図１２Ｃは、マルチトラック２ａの拡大図である。例えば、記録するデータによりピット長が変化する場合には、図１２Ｂに示すように１本１本のデータトラックが形成されて、それぞれのデータトラックは、環状につながっている。図１２Ｃは、１記録単位毎にパルス状のピットが形成される場合の例であり、この場合にも、１本１本のデータトラックが形成されて、それぞれのデータトラックは、環状につながっている。
【００１２】
本発明はこれらの点に鑑み、マルチビーム方式の光ディスクが簡単に得られるようにすることを目的とする。
【課題を解決するための手段】
【００１３】
本発明は、複数のレーザ光の同時照射により記録及び再生が可能な記録媒体である光ディスクとして、複数のレーザ光の同時照射で形成される複数のデータトラックを連続して配置した幅広トラックを、１本のデータトラックの幅だけずれた略同心円状に配置するようにし、この光ディスクを使用して記録及び再生を行うようにしたものである。
【発明の効果】
【００１４】
本発明によると、従来からの単一ビーム方式の光ディスク原盤露光装置に僅かな改造を加えるか、または、制御信号の入力パターンを変更するだけで、マルチビーム方式の光ディスクを製造でき、技術開発を含む設備投資の面から見て、非常に安価にマルチビーム方式の光ディスク原盤を製造することができる。また、光ディスク原盤の露光装置が変わらないため、それ以降の工程についても同一の工程を利用することもできて、設備投資の面から見て、非常に安価に光ディスクを製造することができる。
【００１５】
また、マルチビーム方式の光ディスクのトラック構造を、従来からの単一ビーム方式でのＣＬＶ方式および渦巻状トラック構造に近い構造とすることで、原盤に露光パターンを記録するための単位時間あたりの生産性が高くて安価な光ディスクを提供することが可能になる。
【００１６】
また、本発明による略同心円状の幅広トラックに加えて、ゾーンＣＡＶ方式のトラック構造を用いることで、１枚の光ディスクに対する記録容量をより増やすことができる。
【００１７】
また、これらの光ディスクを使用して記録できる構成及び処理を備えることで、マルチビーム方式の記録が、安価な光ディスクを使用して低コストで実現できる。
【００１８】
また、これらの光ディスクを使用して再生できる構成及び処理を備えることで、マルチビーム方式の再生が、安価な光ディスクを使用して低コストで実現できる。
【発明を実施するための最良の形態】
【００１９】
以下、本発明の一実施の形態を、図１〜図９を参照して説明する。
本例の場合には、マルチビーム型の光ディスクに適用したものであり、具体的には、角速度一定制御であるＣＡＶ型で記録及び再生を行う光ディスクの場合の例と、半径位置毎に角速度を複数段階に変化させるゾーンＣＡＶ型で記録及び再生を行う光ディスクの場合の例とがあり得る。
【００２０】
図１は、ＣＡＶ型で記録及び再生を行う光ディスクの場合の、光ディスクの構成例を示した図である。図１Ａに示すように、光ディスク１０には、略同心円状に複数のトラック１０ａが形成してある。このそれぞれのトラック１０ａは、複数のデータトラックを束ねて形成される幅広トラックである。但し本例の場合、各トラック１０ａには、データトラック段差部１１が１周の間に１箇所形成される。図１Ｂ及び図１Ｃは、このデータトラック段差部１１を拡大して示した図である。図１Ｂは、記録するデータによりピット長が変化する場合の例であり、図１Ｃは、１記録単位毎にパルス状のピットが形成される場合の例である。いずれの場合でも、本例の場合、複数のデータトラックが束ねられた幅広トラック１０ａは、トラック幅をＴｗとしてあり、６本のデータトラックで幅広トラック１０ａを形成させてある。そして、１本１本のデータトラックはトラック幅をＴａとしてある。ここで、段差部１１で、データトラックのトラック幅Ｔａだけ、ずれてトラックが接合されるようにしてある。各幅広トラックの間には、データが記録されない無信号区間がある。
【００２１】
図２は、ゾーンＣＡＶ型で記録及び再生を行う光ディスクの場合の、光ディスクの構成例を示した図である。図２Ａに示すように、光ディスク２０には、略同心円状に複数のトラックが形成してあり、各トラックは所定長のセグメント単位で分割されたトラック２０ａ，２０ｂ‥‥としてある。１周のトラックに配置されるセグメント数は、トラックの半径位置毎に変えてある。その１トラックのセグメント数の変化は、ディスク全体で数段階の変化としたり、或いは連続的に変化させても良い。そして、それぞれのトラック２０ａ，２０ｂ‥‥は、複数のデータトラックを束ねて形成される幅広トラックである。但し本例の場合、各幅広トラックには、データトラック段差部２１が１周のトラックの間に１箇所形成される。図２Ｂ及び図２Ｃは、このデータトラック段差部２１を拡大して示した図である。図２Ｂは、記録するデータによりピット長が変化する場合の例であり、図２Ｃは、１記録単位毎にパルス状のピットが形成される場合の例である。いずれの場合でも、本例の場合、複数のデータトラックが束ねられた幅広トラックは、トラック幅をＴｗとしてあり、６本のデータトラックで幅広トラックを形成させてある。そして、１本１本のデータトラックはトラック幅をＴａとしてある。ここで、段差部２１で、データトラックのトラック幅Ｔａだけ、ずれてトラックが接合されるようにしてある。各幅広トラックの間には、データが記録されない無信号区間がある。
【００２２】
このように、本例においては、複数のデータトラックで構成される幅広トラックを完全な同心円ではなく、データトラック幅だけずれた略同心円に配置する。このとき、データトラックは同心円状にならないが、幅広トラックのズレ量としては小さいので、トラック再生装置のトラック制御を適正に行うことで、幅広トラックが完全な同心円の場合と同様に読み出すことができる。
【００２３】
なお、図１，図２の構成では、段差部１１，２１が、各トラックで異なる角度位置としたが、１枚のディスク上の全ての幅広トラックで、同じ角度位置に段差部１１，２１を設けるようにしても良い。また、図１，図２に示すように段差部１１，２１の位置を各幅広トラックで変化させる場合には、何らかのルールを決めて、角度位置を変化させるようにしても良い。例えば、所定数の幅広トラック毎に、所定角度、段差部１１，２１の位置を変化させて、段差部１１，２１の位置がディスク全体で均等な位置に配置されるようにしても良い。
【００２４】
次に、本例の光ディスク原盤を製造する光ディスク露光装置の構成を、図３を参照して説明する。本例の場合には、単一の露光ビームによって渦巻状トラック構造を製作することで、図１又は図２に示した略同心円状の幅広トラックを実現する。まず図３を参照して光ディスク露光装置の構成を説明すると、レーザ光源１０１からの単一のレーザ光を、ノイズ低減器１０２と、反射手段１０３と、光変調器１０４と、反射手段１０５と、フォーカス調整レンズ１０６と、反射手段１０７と、対物レンズ１０８を介して、光ディスク１０の原盤１０′に照射して、１本のデータトラック単位で、トラックを形成させる。この際に、光変調器１０４は、信号ドライバ１１１により変調状態が駆動される。信号ドライバ１１１は、データ記録装置１１２が接続されたコンピュータ１１３で制御され、データ記録装置１１２に記録されたデータが光ディスクに記録される。また、レーザ光源１０１から対物レンズ１０８までが納められた露光ヘッドは、並進駆動装置１１４によりディスクの半径方向に移動可能としてある。さらに、ディスク原盤１０′は、回転駆動装置１１５による制御で、スピンドルモータ１１６を回転させて、回転させるようにしてある。なお、原盤１０′の基板上には、例えばフォトレジスト層を塗布しておく。
【００２５】
このような構成で、ディスク原盤を製造する場合には、原盤基板１０′をＣＡＶ方式で回転させながら、同時に露光ヘッドを一定速度で並進させる。そして、回転している原盤基板の回転角度位置と回転中心からの露光位置に合わせて、マルチビーム方式で読み取るデータトラックを１本ずつ露光していき、原盤に凹凸パターンを形成する露光を行う。従って、例えば図１に示すように、１本のマルチトラック（幅広トラック）が６本のデータトラックで構成される場合には、ディスクを６回転させて露光することで、１本のマルチトラックが形成されることになる。
【００２６】
このようにして単一ビーム方式の光ディスク原盤製造装置に僅かな改造を加えるか、または、制御信号の入力パターンを変更するだけで、マルチトラックの光ディスクが製造でき、非常に安価にマルチビーム方式の光ディスク原盤を製造することができる。
【００２７】
図３の例では、レーザ光源を使用した例としたが、電子ビームを使用した光ディスク露光装置を、ディスク原盤製造装置として適用することもできる。即ち、図４に示すように、真空の気密空間２００内で、電子銃２０１からの電子ビームを、コンデンサレンズ２０２と、ビーム変調手段２０３と、アパーチャ２０４と、ビーム偏向手段２０５と、フォーカス調整手段２０６と、対物レンズ２０７とを介して、光ディスク１０の原盤１０′に照射して、１本のデータトラック単位で、トラックを形成させる。この際に、ビーム変調手段２０３は、信号ドライバ２１１により変調状態が駆動される。信号ドライバ２１１は、データ記録装置２１３が接続されたコンピュータ２１２で制御され、データ記録装置２１３に記録されたデータが光ディスクに記録される。また、気密空間２００には、真空排気装置２０８が取付けてあり、真空状態で露光できるようにしてある。さらに、ディスク原盤１０′は、回転駆動装置２１４による制御で、スピンドルモータ２１６を回転させて、回転させるようにしてある。そして、ディスク原盤１０′を回転させる機構そのものは、並進駆動装置２１５によりディスクの半径方向に移動可能としてある。このようにして、電子ビームで原盤に凹凸パターンを形成する露光を行って、トラックを形成させることもできる。
【００２８】
また、露光装置の構成を図示はしないが、イオンビームなどの他のビームによって露光するようにしても良い。
【００２９】
次に、図３又は図４のディスク原盤製造装置で、光ディスクに幅広トラックを露光する処理を、図５のフローチャートを参照して説明する。図５のフローチャートの例は、ＣＡＶ型で露光して図１に示した光ディスクを製造する場合の例である。まず、準備及び初期化処理が行われる（ステップＳ１１）。初期化処理としては、データ読み込みの準備が行われ（ステップＳ１５）、次に回転制御の初期化を行って回転数を安定させ（ステップＳ１６）、さらにレーザ光又は電子ビームの並進制御の初期化（原点設定と並進安定）を行う（ステップＳ１７）。
【００３０】
次に、幅広トラック部分の記録処理を行い（ステップＳ１２）、その後、隣接する幅広トラックとの間の無信号部分の記録処理を行い（ステップＳ１３）、光ディスク１枚分の全トラックの記録が終了したか否か判断し（ステップＳ１４）、全トラックの記録が終了するまで、ステップＳ１２，Ｓ１３の処理を繰り返し行う。
【００３１】
記録処理としては、まず、幅広トラックの開始半径を検出し（ステップＳ１８）、データ開始点となる回転角度位置の検出を行い（ステップＳ１９）、回転角度に合わせたデータ信号の送出を行う（ステップＳ２０）。その後、データトラックが１周したか否か判断し（ステップＳ２１）、１周してない場合には、ステップＳ２０での処理を継続させ、１周した場合には、１つの幅広トラックの記録が終了したか否か判断する（ステップＳ２２）。１周して１つの幅広トラックが終了してない場合には、次のデータトラックを開始させて（ステップＳ２３）、ステップＳ２０の処理に戻る。そして、１つの幅広トラックが終了した場合には、全トラックの記録が終了したか否か判断し（ステップＳ２４）、全トラックの記録が終了してない場合には、次の幅広トラックまでの無信号部分を形成させるために、データ信号の出力を停止させる（ステップＳ２５）。そして、次の幅広トラックの開始点となる半径及び回転角度位置を計算し（ステップＳ２６）、次のデータ信号を読出す準備を行い（ステップＳ２７）、ステップＳ１８に戻る。また、ステップＳ２４で、全トラックの記録が終了した場合には、記録処理を終了する。
【００３２】
図５のフローチャートではＣＡＶ型で露光する場合の例であるが、図２に示したゾーンＣＡＶ型の光ディスクを製造する場合には、例えば図６のフローチャートに示した処理が実行される。まず、準備及び初期化処理が行われる（ステップＳ３１）。初期化処理としては、データ読み込みの準備が行われ（ステップＳ３５）、次に回転制御の初期化を行って回転数を安定させ（ステップＳ３６）、さらにレーザ光又は電子ビームの並進制御の初期化（原点設定と並進安定）を行う（ステップＳ３７）。
【００３３】
次に、幅広トラック部分の記録処理を行い（ステップＳ３２）、その後、隣接する幅広トラックとの間の無信号部分の記録処理を行い（ステップＳ３３）、光ディスク１枚分の全トラックの記録が終了したか否か判断し（ステップＳ３４）、全トラックの記録が終了するまで、ステップＳ３２，Ｓ３３の処理を繰り返し行う。
【００３４】
記録処理としては、まず、幅広トラックの開始半径を検出し（ステップＳ３８）、データ開始点となる回転角度位置の検出を行い（ステップＳ３９）、回転角度に合わせたデータ信号の送出を行う（ステップＳ４０）。その後、データトラックが１周したか否か判断し（ステップＳ４１）、１周してない場合には、ステップＳ４０での処理を継続させ、１周した場合には、１つの幅広トラックの記録が終了したか否か判断する（ステップＳ４２）。１周して１つの幅広トラックが終了してない場合には、次のデータトラックを開始させて（ステップＳ４３）、ステップＳ４０の処理に戻る。そして、１つの幅広トラックが終了した場合には、全トラックの記録が終了したか否か判断し（ステップＳ４４）、全トラックの記録が終了してない場合には、次の幅広トラックまでの無信号部分を形成させるために、データ信号の出力を停止させる（ステップＳ４５）。そして、次の幅広トラックの開始点となる半径及び回転角度位置を計算し（ステップＳ４６）、さらに、次の幅広トラックのゾーンＣＡＶ配置に必要なディスク回転数への制御を行い（ステップＳ４７）、次のデータ信号を読出す準備を行い（ステップＳ４８）、ステップＳ３８に戻る。また、ステップＳ４４で、全トラックの記録が終了した場合には、記録処理を終了する。
【００３５】
次に、本例の光ディスクを再生する再生装置の構成例を、図７を参照して説明する。本例の場合には、マルチビームをディスクに照射して、１本の幅広トラック内の各データトラックを同時に読出す再生装置としてある。即ち、スピンドルモータ３０１により回転駆動された光ディスク１０は、レーザ光源３０３からのマルチレーザビームを、対物レンズ３０２を介して光ディスク１０の幅広トラックに照射し、その戻り光を検出器３０４で検出する。光ディスク１０に照射するマルチビームが、少なくとも１本の幅広トラックに束ねられたデータトラックの本数だけあるビームである。
【００３６】
検出器３０４で検出された戻り光の信号成分は、ＲＦアンプ３０５を介してＰＬＬ回路（フェーズ・ロックド・ループ回路）３０６に供給されて、このＰＬＬ回路３０６の出力からデータクロック検出部３１２でクロック成分が検出される。また、ＰＬＬ回路３０６の出力をＥＦＭ（８−１４復調）部３０７に供給して、再生データを復調し、さらに誤り訂正部３０８に供給して、誤り訂正符号を使用した誤り訂正処理を行い、その訂正された再生データをデータ出力部３０９から外部に出力させる。また、再生データがオーディオデータの場合には、デジタル／アナログ変換器３１０に供給して、アナログ音声信号に変換し、変換された音声信号を音声出力部から外部に出力させる。
【００３７】
また、誤り訂正部３０８の出力を、物理アドレス検出部３１６に供給し、その物理アドレス検出部３１６で検出された物理アドレスと、データクロック検出部３１２で検出されたクロック周波数と、ピックアップ位置センサ３１８の出力と、ディスクの回転角度センサ３１９の出力に基づいて、計算処理部３１７で半径位置及び回転角度の計算を行い、回転数制御部３１３と、トラック及びフォーカス制御部３２１に計算結果を送る。そして、回転数制御部３１３と、トラック及びフォーカス制御部３２１が、トラック位置とフォーカスとディスク回転数の制御機構３１４の制御を行う。トラック及びフォーカス制御部３２１には、ピックアップの検出器３０４の出力から、トラッキング信号及びフォーカス信号を検出して、その検出信号をアンプ３２０を介して供給されて、これらの信号に基づいてトラッキング制御及びフォーカス制御を行う。
【００３８】
次に、このように構成される再生装置で幅広トラックを再生する処理を、図８のフローチャートを参照して説明する。図８のフローチャートの例は、ＣＡＶ型の図１に示した光ディスクを再生する場合の例である。まず、準備及び初期化処理が行われる（ステップＳ５１）。初期化処理としては、トラックずれ位置情報があるか否か判断し（ステップＳ５４）、トラックずれ位置情報がある場合には、そのトラックずれ位置情報を読み込む（ステップＳ５５）。そして、トラックずれ位置情報の有り無しに係わらず、再生制御の初期化を行い（ステップＳ５６）、初期化処理を終了する。
【００３９】
次に、幅広トラックの再生処理を行い（ステップＳ５２）、必要な再生が終了したか否か判断し（ステップＳ５３）、終了するまでステップＳ５２での再生を行う。
【００４０】
再生処理としては、まず、再生信号の検出とトラック制御の修正を行い（ステップＳ５７）、再生信号からのデータ再生を行い（ステップＳ５８）、再生信号から物理アドレスを検出し（ステップＳ５９）、回転角度位置の計算を行い（ステップＳ６０）、現在の半径でのずれ位置が近いか否か判断する（ステップＳ６１）。ずれ位置が近い場合には、トラック制御の修正を行う（ステップＳ６２）。そして、トラックずれが発生したか否か判断し（ステップＳ６３）、トラックずれが発生した場合には、トラックずれ位置を保存しておく（ステップＳ６４）。そして、現在のトラックの再生が終了したか否か判断し（ステップＳ６５）、終了してない場合には、ステップＳ５７に戻る。終了した場合には、次のトラックの再生が必要か否か判断し（ステップＳ６６）、次のトラックの再生が必要な場合には、必要な幅広トラック位置への移動を行い（ステップＳ６７）、ステップＳ５７に戻る。また、ステップＳ６６で次の再生が必要でないと判断した場合に、再生処理を終了する。
【００４１】
図８のフローチャートではＣＡＶ型のディスクを再生する場合の例であるが、図２に示したゾーンＣＡＶ型の光ディスクを再生する場合には、例えば図９のフローチャートに示した処理が実行される。即ち、まず、準備及び初期化処理が行われる（ステップＳ７１）。初期化処理としては、トラックずれ位置情報があるか否か判断し（ステップＳ７４）、トラックずれ位置情報がある場合には、そのトラックずれ位置情報を読み込む（ステップＳ７５）。そして、トラックずれ位置情報の有り無しに係わらず、再生制御の初期化を行い（ステップＳ７６）、初期化処理を終了する。
【００４２】
次に、幅広トラックの再生処理を行い（ステップＳ７２）、必要な再生が終了したか否か判断し（ステップＳ７３）、終了するまでステップＳ７２での再生を行う。
【００４３】
再生処理としては、まず、再生信号の検出とトラック制御の修正を行い（ステップＳ７７）、再生信号からのデータ再生を行い（ステップＳ７８）、再生信号から物理アドレスを検出し（ステップＳ７９）、回転角度位置の計算を行い（ステップＳ８０）、現在の半径でのずれ位置が近いか否か判断する（ステップＳ８１）。ずれ位置が近い場合には、トラック制御の修正を行う（ステップＳ８２）。そして、トラックずれが発生したか否か判断し（ステップＳ８３）、トラックずれが発生した場合には、トラックずれ位置を保存しておく（ステップＳ８４）。そして、現在のトラックの再生が終了したか否か判断し（ステップＳ８５）、終了してない場合には、ステップＳ７７に戻る。終了した場合には、次のトラックの再生が必要か否か判断し（ステップＳ８６）、次のトラックの再生が必要な場合には、必要な幅広トラック位置への移動を行い（ステップＳ８７）、次の幅広トラック位置でのディスク回転数へ制御の修正を行い（ステップＳ８８）、ステップＳ７７に戻る。また、ステップＳ８６で次の再生が必要でないと判断した場合に、再生処理を終了する。
【００４４】
このようにして再生することで、本例においては、光ディスクとして、図１又は図２に示したように、データトラックピッチだけずれた略同心円状の幅広トラックとなっているために、ある半径にある幅広トラックを繰り返し再生すると、１回転に１度データトラックのズレ、いわゆる、トラックエラーが起こる。このエラー量は幅広トラックの幅よりは小さいので、適切なトラック制御を行うことで、適正にデータを読出して再生することは可能である。
【００４５】
しかしながら、データ再生時のエラーの確率をより低くするには、トラックエラーの起こる位置（トラックずれ位置）を検知しながら、光ディスクを再生することが望ましい。つまり、略同心円状の幅広トラックにおいて、その中のデータトラックのずれが起きている光ディスクの回転角度位置およびまたは回転中心からの半径位置を検知し、その位置を再生ヘッド（光ピックアップ）が通過する時に、トラック制御パラメータを変更することが望ましい。このため、図８，図９のフローチャートでのトラックずれ位置情報の読み込み（ステップＳ５５，Ｓ７５）を行って、それに基づいた制御を行うことで、より良好に再生できる。但し、トラックずれ位置情報がない場合でも、再生が可能である。
【００４６】
なお、ここまで説明した実施の形態では、ディスクに記録される具体的なデータ形式や、ディスクサイズなどは特に説明しなかったが、マルチトラックを形成させる各種光ディスクに本発明が適用可能であることは勿論である。また、図１，図２に示した１本の幅広トラック内のデータトラック数などや、ピットの形成状態などについても、一例を示したものであり、図示のものに限定されるものではない。
【図面の簡単な説明】
【００４７】
【図１】本発明の一実施の形態による、マルチビーム型でＣＡＶ型で略同心円状の幅広トラックを有する光ディスクのトラック構造の模式図である。
【図２】本発明の一実施の形態による、マルチビーム型でゾーンＣＡＶ型で略同心円状の幅広トラックを有する光ディスクのトラック構造の模式図である。
【図３】本発明の一実施の形態による、単一の露光レーザビームによる光ディスク露光装置のブロック図である。
【図４】本発明の一実施の形態による、単一の露光電子ビームによる光ディスク露光装置のブロック図である。
【図５】本発明の一実施の形態による、マルチビーム型でＣＡＶ型で略同心円状の幅広トラックを有する光ディスクを露光する工程の例のフローチャートである。
【図６】本発明の一実施の形態による、マルチビーム型でゾーンＣＡＶ型で略同心円状の幅広トラックを有する光ディスクを露光する工程の例のフローチャートである。
【図７】本発明の一実施の形態による、光ディスクの再生装置のブロック図である。
【図８】本発明の一実施の形態による、マルチビーム型でＣＡＶ型で略同心円状の幅広トラックを有する光ディスクを再生する工程のフローチャートである。
【図９】本発明の一実施の形態による、マルチビーム型でゾーンＣＡＶ型で略同心円状の幅広トラックを有する光ディスクを再生する工程のフローチャートである。
【図１０】従来のシングルビーム型でＣＬＶ型の光ディスクのトラック構造の模式図である。
【図１１】従来のマルチビーム型でＣＬＶ型の光ディスクのトラック構造の模式図である。
【図１２】従来のマルチビーム型でＣＡＶ型で完全同心円状の幅広トラックを有する光ディスクのトラック構造の模式図である。
【符号の説明】
【００４８】
１０，２０…光ディスク、１０ａ，２０ａ，２０ｂ…幅広トラック、１１，２１…データトラック段差部
【図５】
2005044474.tif 000003
【図６】
2005044474.tif 000004
【図７】
2005044474.tif 000005
【図８】
2005044474.tif 000006
【図９】
2005044474.tif 000007
【図１】
2005044474.tif 000008
【図２】
2005044474.tif 000009
【図３】
2005044474.tif 000010
【図４】
2005044474.tif 000011
【図１０】
2005044474.tif 000012
【図１１】
2005044474.tif 000013
【図１２】
2005044474.tif 000014